(57)【要約】【課題】塵除去動作が明確にわかる表示にすることによって、より効果的に塵が撮影光路中から除去することが可能で、且つ、塵除去機構が使い易い電子撮像装置を提供することにある。【解決手段】被写体像を光電変換するＣＣＤユニット２７を有し、選択的に可聴範囲内外の発音が可能な機能を有する電子撮像装置としての例えば電子カメラに於いて、ＣＣＤユニット２７の前面に配置され振動可能な透光性をもつ防塵フィルタ２１に、圧電素子２２によって振動形態を選択的に変えて駆動を与えることで、少なくとも振動の発生と、状態告知のための表示を行うように構成して制御する。つまり、塵除去の動作状態を電子カメラの動作表示用ＬＣＤにて順次表示することで上記課題を解決する。【選択図】      図２
2006094057.tif 000002
【特許請求の範囲】
【請求項１】
被写体の光学像を電気信号に変換するための撮像手段を具備する電子撮像装置に於いて、
上記撮像手段の光電変換面上に被写体光束を導く撮像光学系と、
上記撮像手段の光電変換面の前方に配置された防塵フィルタ手段と、
上記防塵フィルタ手段を非可聴領域にて振動させる加振手段と、
上記加振手段に対して上記防塵フィルタを振動させるための周波数信号を供給する制御手段と、
上記加振手段の動作に対応して振動状態であることを表示する表示手段と、
を具備したことを特徴とする電子撮像装置。
【請求項２】
上記表示手段は上記加振手段が動作している間、表示を継続することを特徴とする請求項１に記載の電子撮像装置。
【請求項３】
上記表示手段は上記加振手段の動作が開始する所定時間前から第１の状態を表示し、上記加振手段の動作中に上記第１の表示と異なる第２の状態を表示することを特徴とする請求項１に記載の電子撮像装置。
【請求項４】
上記表示手段は上記加振手段の動作が停止してから所定時間後まで第２の状態を表示することを特徴とする請求項３に記載の電子撮像装置。
【請求項５】
上記表示手段は上記加振手段の動作が開始する所定時間前から第１の状態を表示し、上記加振手段の動作中に上記第１の表示と異なる第２の状態を表示し、上記加振手段の動作が停止してから所定時間後まで上記第１及び第２の表示と異なる第３の状態を表示することを特徴とする請求項１に記載の電子撮像装置。
【請求項６】
上記表示手段は上記加振手段の駆動回路に並列若しくは直列に接続された発光素子であることを特徴とする請求項２に記載の電子撮像装置。
【請求項７】
上記表示手段は、背景画像に塵の画像を重ね合わせた画像を表示し、上記塵の画像は、上記加振手段の動作中に上記背景画像から外側に移動することを特徴とする請求項１に記載の電子撮像装置。
【請求項８】
上記表示手段は、背景画像に塵の画像を重ね合わせた画像を表示し、上記加振手段の動作中には上記塵の画像を順次非表示状態にし、上記加振手段の動作終了時に上記塵の画像を全て非表示にすることを特徴とする請求項１に記載の電子撮像装置。
【請求項９】
上記表示手段は、上記加振手段の動作終了時に塵の画像を非表示にした後、上記第２の状態を所定時間表示することを特徴とする請求項４に記載の電子撮像装置。
【請求項１０】
上記表示手段は、上記加振手段の動作時間よりも長く表示していることを特徴とする請求項１に記載の電子撮像装置。
【請求項１１】
被写体の光学像を電気信号に変換するための撮像手段を具備する電子撮像装置に於いて、
上記撮像手段の光電変換面上に被写体光束を導く撮像光学系と、
上記撮像手段の光電変換面の前方に配置された防塵フィルタと、
上記防塵フィルタ上の塵埃を除去する塵埃除去手段と、
上記塵埃除去手段を所定時間動作させる制御手段と、
上記塵埃除去手段の動作に対応して塵埃を除去する動作中であることを表示する表示手段と、
を具備したことを特徴とする電子撮像装置。
【請求項１２】
上記表示手段はカメラ状態の表示手段と兼用されていることを特徴とする請求項１若しくは請求項１１の何れか１項に記載の電子撮像装置。
【請求項１３】
上記表示手段は、上記塵埃除去手段の動作の時間経過と共に、表示が変化することを特徴とする請求項１１に記載の電子撮像装置。
【請求項１４】
上記表示手段は上記加振手段の動作の時間経過と共に、表示が変化することを特徴とする請求項１に記載の電子撮像装置。
【請求項１５】
上記表示手段は、上記塵埃除去手段の塵埃除去の経過と共に、表示が変化することを特徴とする請求項１１に記載の電子撮像装置。
【請求項１６】
上記表示手段は上記加振手段の塵埃除去の経過と共に、表示が変化することを特徴とする請求項１記載の電子撮像装置。
【発明の詳細な説明】
【技術分野】
【０００１】
本発明は、自己の光電変換面上に照射された光に対応した画像信号を得る撮像素子を有する撮像素子ユニットを備えた電子撮像装置に関し、例えばレンズ交換可能な一眼レフレックス方式デジタルカメラ等の電子撮像装置に関する。
【背景技術】
【０００２】
近年に於いては、一眼レフレックス方式のファインダ装置を有すると共に、カメラ本体に対して撮影光学系を着脱自在となるように構成し、ユーザが所望するとき所望の撮影光学系を任意に着脱し交換することで、単一のカメラ本体に於いて複数種類の撮影光学系を選択的に使用し得るように構成した、いわゆる「レンズ交換可能な」形態のデジタルカメラが、一般に実用化されつつある。
【０００３】
このようなレンズ交換可能なデジタルカメラに於いては、当該撮影光学系をカメラ本体から取り外した際、カメラ本体内部に埃が入り込んだり、或いはカメラ本体内部には例えばシャッタ・絞り機構等の機械的に動作する各種の機構が配されていることから、これら各種の機構等からその動作中にゴミ等が発生する場合がある。
【０００４】
そして、撮像素子の前面の塵埃を気体流によって除去したり、撮像素子の光電変換面の側を封止乃至保護する防塵部材を備えることで、当該撮像素子の光電変換面に塵埃等が付着するのを抑制すると共に、防塵部材の表面に付着する塵埃等に対しては、所定の加振手段によって防塵部材に所定の振幅の振動を与えることで、これら塵埃を除去する除去手段が示され、加振手段によって振動形態を選択的に変えて駆動を与えることで、少なくとも振動の発生と、所望により状態告知のための音の発生を行うような電子撮像装置が示されている（例えば、特許文献１、２参照）。
【特許文献１】特開２００２−２２９１１０号公報
【特許文献２】特開２００４−３２１９１号公報
【発明の開示】
【発明が解決しようとする課題】
【０００５】
しかしながら、従来の電子撮像装置に於いて、上記のような塵除去機構では、加振手段は効率的に塵埃を除去するために超音波領域の振動周波数（２０ｋＨｚ以上）で駆動されるので、塵除去機構が動作していることが分からなかった。この場合、手動操作により、塵除去機構を動作させると、いつ塵除去機構が終了したのか分からないといった問題が発生していた。
【０００６】
同じく、上記特許文献１に記載の、気体流による塵埃の除去機構に於いても、作動音が小さく、塵埃除去機構の動作終了がわからないものであった。
【０００７】
また、上記特許文献２に記載の、状態告知のための音（可聴音）を加振手段によって発生させると、可聴音がうるさいことや、他の警告音と塵除去機構の動作の区別が難しく、状態告知にはならないことがあった。
【０００８】
更には、実際に超音波領域での塵除去機構の実質的な動作事態が動作している状態を表示していないために、カメラを塵除去が効果的になされる姿勢ではない状態で塵除去機構を動作させてしまったり、或いは塵除去動作が終了する前にカメラの姿勢を変えてしまって効果的な塵除去ができない場合があった。
【０００９】
そこで本発明の目的は、上記塵除去動作が明確にわかる表示にすることによって、より効果的に塵が撮影光路中から除去することが可能で、且つ、塵除去機構が使い易い電子撮像装置を提供することにある。
【課題を解決するための手段】
【００１０】
すなわち、請求項１に記載の発明は、被写体の光学像を電気信号に変換するための撮像手段を具備する電子撮像装置に於いて、上記撮像手段の光電変換面上に被写体光束を導く撮像光学系と、上記撮像手段の光電変換面の前方に配置された防塵フィルタ手段と、上記防塵フィルタ手段を非可聴領域にて振動させる加振手段と、上記加振手段に対して上記防塵フィルタを振動させるための周波数信号を供給する制御手段と、上記加振手段の動作に対応して振動状態であることを表示する表示手段と、を具備したことを特徴とする。
【００１１】
請求項２に記載の発明は、請求項１に記載の発明に於いて、上記表示手段は上記加振手段が動作している間、表示を継続することを特徴とする。
【００１２】
請求項３に記載の発明は、請求項１に記載の発明に於いて、上記表示手段は上記加振手段の動作が開始する所定時間前から第１の状態を表示し、上記加振手段の動作中に上記第１の表示と異なる第２の状態を表示することを特徴とする。
【００１３】
請求項４に記載の発明は、請求項３に記載の発明に於いて、上記表示手段は上記加振手段の動作が停止してから所定時間後まで第２の状態を表示することを特徴とする。
【００１４】
請求項５に記載の発明は、請求項１に記載の発明に於いて、上記表示手段は上記加振手段の動作が開始する所定時間前から第１の状態を表示し、上記加振手段の動作中に上記第１の表示と異なる第２の状態を表示し、上記加振手段の動作が停止してから所定時間後まで上記第１及び第２の表示と異なる第３の状態を表示することを特徴とする。
【００１５】
請求項６に記載の発明は、請求項２に記載の発明に於いて、上記表示手段は上記加振手段の駆動回路に並列若しくは直列に接続された発光素子であることを特徴とする。
【００１６】
請求項７に記載の発明は、請求項１に記載の発明に於いて、上記表示手段は、背景画像に塵の画像を重ね合わせた画像を表示し、上記塵の画像は、上記加振手段の動作中に上記背景画像から外側に移動することを特徴とする。
【００１７】
請求項８に記載の発明は、請求項１に記載の発明に於いて、上記表示手段は、背景画像に塵の画像を重ね合わせた画像を表示し、上記加振手段の動作中には上記塵の画像を順次非表示状態にし、上記加振手段の動作終了時に上記塵の画像を全て非表示にすることを特徴とする。
【００１８】
請求項９に記載の発明は、請求項４に記載の発明に於いて、上記表示手段は、上記加振手段の動作終了時に塵の画像を非表示にした後、上記第２の状態を所定時間表示することを特徴とする。
【００１９】
請求項１０に記載の発明は、請求項１に記載の発明に於いて、上記表示手段は、上記加振手段の動作時間よりも長く表示していることを特徴とする。
【００２０】
請求項１１に記載の発明は、被写体の光学像を電気信号に変換するための撮像手段を具備する電子撮像装置に於いて、上記撮像手段の光電変換面上に被写体光束を導く撮像光学系と、上記撮像手段の光電変換面の前方に配置された防塵フィルタと、上記防塵フィルタ上の塵埃を除去する塵埃除去手段と、上記塵埃除去手段を所定時間動作させる制御手段と、上記塵埃除去手段の動作に対応して塵埃を除去する動作中であることを表示する表示手段と、を具備したことを特徴とする。
【００２１】
請求項求項１２に記載の発明は、請求項１１の何れか１項に記載の発明に於いて、上記表示手段はカメラ状態の表示手段と兼用されていることを特徴とする。
【００２２】
請求項１３に記載の発明は、請求項１１に記載の発明に於いて、上記表示手段は、上記塵埃除去手段の動作の時間経過と共に、表示が変化することを特徴とする。
【００２３】
請求項１４に記載の発明は、請求項１に記載の発明に於いて、上記表示手段は上記加振手段の動作の時間経過と共に、表示が変化することを特徴とする。
【００２４】
請求項１５に記載の発明は、請求項１１に記載の発明に於いて、上記表示手段は、上記塵埃除去手段の塵埃除去の経過と共に、表示が変化することを特徴とする。
【００２５】
請求項１６に記載の発明は、請求項１に記載の発明に於いて、上記表示手段は上記加振手段の塵埃除去の経過と共に、表示が変化することを特徴とする。
【発明の効果】
【００２６】
本発明によれば、塵除去動作を明確に表示することによって、電子撮像装置内の塵除去動作をカメラ操作者が効果的に行うことができ、また、塵除去動作での可聴音を発生させずに、静かな塵除去が達成できる。これによって、電子カメラなどに代表される使い易い電子撮像装置を提供することが可能となる。
【発明を実施するための最良の形態】
【００２７】
以下に具体的に例示する本発明の電子撮像装置は、光電変換によって画像信号を得る撮像素子ユニットの防塵機能を有するものであり、ここでは一例として電子カメラ（以下「カメラ」と略称する）の防塵に係わる改良技術として説明する。特に、レンズ交換可能な一眼レフレックス式電子カメラ（デジタルカメラ）に関してその一実施形態を挙げて図１乃至図２０に基づき説明する。
【００２８】
最初に、本実施形態のカメラについて、その概略的な構成について説明する。図１及び図２には本実施形態に係わるカメラ１の構成を示している。図１はカメラ１の一部を切断してその機械的な内部構造を概略的に示す斜視図であり、図２はカメラ１の主に電気的な構成を概略的に示すブロック構成図である。先ず、図１に基づき、カメラ１の外観と機械的構造について説明する。
【００２９】
本実施形態のカメラ１は、それぞれが別体に構成されるカメラ本体部１１及びレンズ鏡筒１２とから成り、それぞれは互いに着脱自在に構成されている。
【００３０】
レンズ鏡筒１２は複数のレンズやその駆動機構等から成る撮影光学系１２ａを内部に保持して構成され、この撮影光学系１２ａは、被写体からの光束を透過させることで当該被写体の光束により形成される被写体の像を所定の位置（後述する撮像素子２７の光電変換面（受光面）上）に結像せしめるように例えば複数の光学レンズ等によって構成されるものである。そしてこのレンズ鏡筒１２は、カメラ本体部１１の前面に向けて突出するように配設される。
【００３１】
尚、このレンズ鏡筒１２については、従来のカメラ等に於いて一般的に利用されているものと同様のものが適用される。したがって、その詳細な構成についての説明は省略する。
【００３２】
カメラ本体部１１は、内部に各種の構成部材等を備えて構成され、且つ撮影光学系１２ａを保持するレンズ鏡筒１２を着脱自在となるように配設するための連結部材である撮影光学系装着部１１ａをその前面に備えて構成された、いわゆる「一眼レフレックス方式」のカメラである。
【００３３】
つまり、カメラ本体部１１の前面側の略中央部には、被写体光束を当該カメラ本体部１１の内部へと導き得る所定の口径を有する露光用開口が形成され、この露光用開口の周縁部に撮影光学系装着部１１ａが形成されている。また、カメラ本体部１１の上部外面には、露出モード、シャッタ速度、絞り値等を表示すると共に、以下に述べる防塵部材の動作を表示させるための液晶表示パネル等で形成された表示部（動作表示用ＬＣＤ）５７が形成されている。
【００３４】
カメラ本体部１１の外面側には、その前面に上述の撮影光学系装着部１１ａが配設されているほか、上面部や背面部等の所定の位置にカメラ本体部１１を動作させるための各種の操作部材、例えば撮影動作を開始せしめるための指示信号等を発生させるためのレリーズボタン１７等が配設されている。これらの操作部材については、本発明とは直接関連しない部分であるので、図面の煩雑化を避けるために、レリーズボタン１７以外の操作部材については、その図示及び説明を省略する。
【００３５】
カメラ本体部１１の内部には、図１に示す如くの各種の構成部材、例えば撮影光学系１２ａによって形成される所望の被写体像を撮像素子２７の光電変換面上とは異なる所定位置に形成させるために設けられ、いわゆる「観察光学系」を成すファインダ装置１３と、撮像素子２７の光電変換面への被写体光束の照射時間等を制御するシャッタ機構等を備えたシャッタ部１４と、このシャッタ部１４を含み撮影光学系１２ａを透過した被写体光束に基づき形成される被写体像に対応した画像信号を得る撮像手段であり、光電変換素子である撮像素子２７及びこの撮像素子２７の光電変換面の前面側の所定位置に配設され当該光電変換面への塵埃等の付着を防止する光学素子であり防塵部材であって、フィルタ手段である防塵フィルタ２１（詳細後述）等から成る撮像ユニット１５と、撮像素子２７により取得した画像信号に対して各種の信号処理を施す画像信号処理回路等の電気回路を成す各種の電気部材が実装された主回路基板１６を始めとする複数の回路基板（図１では主回路基板１６のみを図示）等が、それぞれ所定位置に配設されている。
【００３６】
ファインダ装置１３は、撮影光学系１２ａを透過した被写体光束の光軸を折り曲げて観察光学系の側へと導くように構成された反射鏡１３ｂと、この反射鏡１３ｂから出射する光束を受けて正立正像を形成するペンタプリズム１３ａと、このペンタプリズム１３ａにより形成される像を拡大して観察するに最適な形態の像を結像させる接眼レンズ１３ｃ等によって構成されている。
【００３７】
反射鏡１３ｂは、撮影光学系１２ａの光軸から退避する位置と当該光軸上の所定の位置との間で移動自在に構成され、通常状態は、撮影光学系１２ａの光軸上にて当該光軸に対して所定角度、例えば角度４５°に配置されている。これにより、撮影光学系１２ａを透過した被写体光束は、当該カメラ１が通常状態にある際は、反射鏡１３ｂによってその光軸が折り曲げられて、当該反射鏡１３ｂの上方に配置されるペンタプリズム１３ａの側へと反射されるようになっている。
【００３８】
一方、カメラ１が撮影動作の実行中に於いて、その実際の露光動作中には、当該反射鏡１３ｂが撮影光学系１２ａの光軸から退避する所定位置に移動するようになっている。これによって被写体光束は、撮像素子２７の側へと導かれ、その光電変換面を照射するようになっている。
【００３９】
シャッタ部１４は、例えばフォーカルプレーン方式のシャッタ機構や、このシャッタ機構の動作を制御する駆動回路等、従来のカメラ等で一般的に利用されているものと同様のものが適用される。従って、その詳細な構成についての説明は省略する。
【００４０】
図２に基づく電気的な説明は後に詳しく述べるとして、続いて、本実施形態のカメラ１に於ける撮像ユニット１５の詳細構造について以下に説明する。
【００４１】
図３乃至図５は、本実施形態のカメラ１に於ける撮像ユニットの一部を取り出して示しており、図３は当該撮像ユニットを分解して示す要部分解斜視図である。図４は組立状態の当該撮像ユニットの一部を切断して示す斜視図であり、図５は図４の切断面に沿う断面図である。
【００４２】
尚、本実施形態のカメラ１の撮像ユニット１５は、上述したようにシャッタ部１４を含む複数の部材で構成されるユニットであるが、図３乃至図５では、その主要部を図示するに留め、シャッタ部１４の図示は省略している。また、各構成部材の位置関係を示すため図３乃至図５では、当該撮像ユニット１５の近傍に設けられ撮像素子２７が実装されると共に、画像信号処理回路やワークメモリ等から成る撮像系の電気回路が実装される主回路基板１６を合わせて図示している。尚、この主回路基板１６それ自体の詳細については、従来のカメラ等に於いて一般的に利用されているものが適用されるものとして、その説明は省略する。
【００４３】
撮像ユニット１５はＣＣＤ等から成り、撮影光学系１２ａを透過し自己の光電変換面上に照射された光に対応した画像信号を得る撮像素子２７と、この撮像素子２７を固定支持する薄板状の部材から成る撮像素子固定板２８と、撮像素子２７の光電変換面の側に配設され、撮影光学系１２ａを透過して照射される被写体光束から高周波成分を取り除くべく形成される光学的ローパスフィルタ（Ｌｏｗ  Ｐａｓｓ  Ｆｉｌｔｅｒ；以下「光学ＬＰＦ」と称す）２５と、この光学ＬＰＦ２５と撮像素子２７との間の周縁部に配置され、略枠形状の弾性部材等によって形成されるローパスフィルタ受け部材２６と、撮像素子２７を収納し固定保持すると共に光学ＬＰＦ２５をその周縁部位乃至その近傍部位に密着して支持し且つ所定の部位を後述する防塵フィルタ受け部材２３（後述する第１の部材）に密に接触するように配設される撮像素子収納ケース部材２４（後述する第２の部材；以下「ＣＣＤケース２４」と称す）と、このＣＣＤケース２４の前面側に配置され防塵フィルタ２１（防塵部材）をその周縁部位乃至その近傍部位に密着して支持する防塵フィルタ受け部材２３（第１の部材）と、この防塵フィルタ受け部材２３によって支持されて撮像素子２７の光電変換面の側であって光学ＬＰＦ２５の前面側に於いて当該光学ＬＰＦ２５との間に所定の間隔を持つ所定の位置に対向配置される防塵部材である防塵フィルタ２１と、この防塵フィルタ２１の周縁部に配設され当該防塵フィルタ２１に対して所定の振動を与えるための加振手段であり加振用部材であって、例えば電気機械変換素子等から成る圧電素子２２と、この圧電素子２２を駆動する駆動回路である防塵フィルタ駆動部４８（図３〜図５には図示せず。図２参照）と、防塵フィルタ２１を防塵フィルタ受け部材２３に対して気密的に接合させ固定保持する弾性体から成る押圧部材２０等によって構成されている。
【００４４】
撮像手段である撮像素子２７は、撮影光学系１２ａを透過した被写体光束を自己の光電変換面に受けて光電変換処理を行うことで、当該光電変換面に形成される被写体像に対応した画像信号を取得するものであり、例えば電荷結合素子（ＣＣＤ；Ｃｈａｒｇｅ  Ｃｏｕｐｌｅｄ  Ｄｅｖｉｃｅ）が適用される。
【００４５】
撮像素子２７は、撮像素子固定板２８を介して主回路基板１６上の所定の位置に実装されている。この主回路基板１６には、上述の如くに画像信号処理回路及びワークメモリ等が共に実装され、撮像素子２７からの出力信号、即ち光電変換処理により得られた画像信号が処理される。
【００４６】
この撮像素子２７の前面側には、ローパスフィルタ受け部材２６を挟持して光学ＬＰＦ２５が配設されている。そして、これを覆う如くに撮像素子収納用ケース部材としてＣＣＤケース２４が配設されている。
【００４７】
つまり、ＣＣＤケース２４には、略中央部分に矩形状から成る開口２４ｃが設けられ、この開口２４ｃには、その後方側から光学ＬＰＦ２５及び撮像素子２７が配設されている。この開口２４ｃの後方側の内周縁部には、図４及び図５に示すような断面が略Ｌ字形状から成る段部２４ａが形成されている。
【００４８】
上述の如く、光学ＬＰＦ２５と撮像素子２７との間には、弾性部材等から成るローパスフィルタ受け部材２６が配設されている。このローパスフィルタ受け部材２６は、撮像素子２７の前面側の周縁部にてその光電変換面の有効範囲を避ける位置に配設され、かつ光学ＬＰＦ２５の背面側の周縁部近傍に当接するようになっている。そして光学ＬＰＦ２５と撮像素子２７との間を略気密性が保持されるように構成している。これにより、光学ＬＰＦ２５にはローパスフィルタ受け部材２６による光軸方向への弾性力が働く。
【００４９】
そこで、光学ＬＰＦ２５の前面側の周縁部を、ＣＣＤケース２４の段部２４ａに対して略気密的に接触させるように配置することで、当該光学ＬＰＦ２５をその光軸方向に変位させようとするローパスフィルタ受け部材２６による弾性力に抗して当該光学ＬＰＦ２５の光軸方向に於ける位置を規制するようにしている。換言すれば、ＣＣＤケース２４の開口２４ｃの内部に背面側より挿入された光学ＬＰＦ２５は、段部２４ａによって光軸方向に於ける位置規制がなされている。これにより、当該光学ＬＰＦ２５は、ＣＣＤケース２４の内部から前面側へ向けて外部に抜け出ないようになっている。
【００５０】
このようにして、ＣＣＤケース２４の開口２４ｃの内部に背面側から光学ＬＰＦ２５が挿入された後、光学ＬＰＦ２５の背面側には、撮像素子２７が配設されるようになっている。この場合、光学ＬＰＦ２５と撮像素子２７との間には、周縁部に於いてローパスフィルタ受け部材２６が挟持される。
【００５１】
また、撮像素子２７は、上述したように撮像素子固定板２８を挟んで主回路基板１６に実装されている。そして、撮像素子固定板２８は、ＣＣＤケース２４の背面側からネジ孔２４ｅに対してネジ２８ｂによってスペーサ２８ａを介して固定されている。また、撮像素子固定板２８には、主回路基板１６がスペーサ１６ｃを介してネジ１６ｄによって固定されている。
【００５２】
ＣＣＤケース２４の前面側には、防塵フィルタ受け部材２３がＣＣＤケース２４のネジ孔２４ｂに対してネジ２３ｂによって固定されている。この場合に於いて、ＣＣＤケース２４の周縁側であって前面側の所定の位置には、図４及び図５に詳細に示すように、周溝２４ｄが略環状に形成されている。その一方で、防塵フィルタ受け部材２３の周縁側であって背面側の所定の位置には、ＣＣＤケース２４の周溝２４ｄに対応させた環状凸部２３ｄ（図３には不図示）が全周にわたって略環状に形成されている。したがって、環状凸部２３ｄと周溝２４ｄとが嵌合することによりＣＣＤケース２４と防塵フィルタ受け部材２３とは、環状の領域、即ち周溝２４ｄと環状凸部２３ｄとが形成される領域に於いて相互に略気密的に嵌合するようになっている。
【００５３】
防塵フィルタ２１は、全体として円形乃至多角形の板状を成し、少なくとも自己の中心から放射方向に所定の広がりを持つ領域が透明部を成しており、この透明部が光学ＬＰＦ２５の前面側に所定の間隔をもって対向配置されている。
【００５４】
また、防塵フィルタ２１の一方の面（本実施形態では背面側）の周縁部には、当該防塵フィルタ２１に対して振動を与えるための所定の加振用部材であり、電気機械変換素子等によって形成される圧電素子２２が一体となるように、例えば接着剤による貼着等の手段により配設されている。この圧電素子２２は図示しない防塵フィルタ駆動部によって所定周期を有する駆動電圧を印加することで、防塵フィルタ２１に所定の振動、即ち定在波振動を発生させることができるように構成されている。そして、防塵フィルタ２１は、防塵フィルタ受け部材２３に対して気密的に接合するように板ばね等の弾性体から成る押圧部材２０によって固定保持されている。
【００５５】
防塵フィルタ受け部材２３の略中央部近傍には、円形状又は多角形状から成る開口２３ｆが設けられている。この開口２３ｆは、撮影光学系１２ａを透過した被写体光束を透過させて、当該光束が後方に配置される撮像素子２７の光電変換面を照射するのに充分な大きさとなるように設定されている。
【００５６】
この開口２３ｆの周縁部には、前面側に突出する壁部２３ｅ（図４、図５参照）が略環状に形成されており、この壁部２３ｅの先端側には、更に前面側に向けて突出するように受け部２３ｃが形成されている。
【００５７】
一方、防塵フィルタ受け部材２３の前面側の外周縁部近傍には、所定位置に複数（本実施形態では三箇所）の突状部２３ａが前面側に向けて突出するように形成されている。突状部２３ａは、防塵フィルタ２１を固定保持する押圧部材２０を固設するために形成され、当該押圧部材２０は、突状部２３ａの先端部に対してネジ２０ａ等により固設されている。
【００５８】
押圧部材２０は、上述の如くに板ばね等の弾性体によって形成される部材であって、その基端部が突状部２３ａに固定され、自由端部が防塵フィルタ２１の外周縁部に当接することで、当該防塵フィルタ２１を防塵フィルタ受け部材２３の側、即ち光軸方向に向けて押圧するようになっている。
【００５９】
この場合、防塵フィルタ２１の背面側の外周縁部に配設される圧電素子２２の所定の部位が、受け部２３ｃに当接することで、防塵フィルタ２１及び圧電素子２２の光軸方向に於ける位置が規制されるようになっている。したがって、これにより防塵フィルタ２１は、圧電素子２２を介して防塵フィルタ受け部材２３に対して気密的に接合するように固定保持される。
【００６０】
換言すれば、防塵フィルタ受け部材２３は、押圧部材２０による附勢力によって防塵フィルタ２１と圧電素子２２を介して気密的に接合するように構成されている。
【００６１】
ところで、上述したように、防塵フィルタ受け部材２３とＣＣＤケース２４とは、周溝２４ｄと環状凸部２３ｄ（図４、図５参照）とが相互に略気密的に嵌合するように設定さていると同時に、防塵フィルタ受け部材２３と防塵フィルタ２１とは、押圧部材２０の附勢力により圧電素子２２を介して気密的に接合するように設定されている。また、ＣＣＤケース２４に配設される光学ＬＰＦ２５は、光学ＬＰＦ２５の前面側の周縁部とＣＣＤケース２４の段部２４ａとの間で略気密的となるように配設されている。更に、光学ＬＰＦ２５の背面側には、撮像素子２７がローパスフィルタ受け部材２６を介して配設されており、光学ＬＰＦ２５と撮像素子２７との間でも、略気密性が保持されるようになっている。
【００６２】
したがって、光学ＬＰＦ２５と防塵フィルタ２１とが対向する間の空間には、所定の空隙部５１ａが形成される。また、光学ＬＰＦ２５の周縁部、即ちＣＣＤケース２４と防塵フィルタ受け部材２３と防塵フィルタ２１とによって、空間部５１ｂが形成される。この空間部５１ｂは、光学ＬＰＦ２５の外側に張り出すようにして形成されている封止された空間である（図４、図５参照）。またこの空間部５１ｂは、空隙部５１ａよりも広い空間となるように設定されている。そして、空隙部５１ａと空間部５１ｂとから成る空間は、上述の如くＣＣＤケース２４、防塵フィルタ受け部材２３、防塵フィルタ２１および光学ＬＰＦ２５によって、略気密的に封止される封止空間５１となっている。
【００６３】
このように、本実施形態のカメラ１に於ける撮像ユニット１５では、光学ＬＰＦ２５及び防塵フィルタ２１の周縁に形成され空隙部５１ａを含む略密閉された封止空間５１を形成する封止構造部が構成されている。そして、この封止構造部は、光学ＬＰＦ２５の周縁乃至その近傍から外側の位置に設けられるようになっている。
【００６４】
更に本実施形態に於いては、防塵フィルタ２１をその周縁部位乃至その近傍部位に密着して支持する第１の部材である防塵フィルタ受け部材２３と、光学ＬＰＦ２５をその周縁部位乃至その近傍位置に密着して支持すると共に、自己の所定部位で防塵フィルタ受け部材２３（第１の部材）と密に接触するように配設される第２の部材であるＣＣＤケース２４等によって、封止構造部が構成されている。
【００６５】
上述の如くに構成された本実施形態のカメラ１に於いては、撮像素子２７の前面側の所定位置に防塵フィルタ２１を対向配置し、撮像素子２７の光電変換面と防塵フィルタ２１との周縁に形成される封止空間５１を封止するように構成したことによって、撮像素子２７の光電変換面に塵埃等が付着するのを予防している。そしてこの場合、防塵フィルタ２１の前面側の露出面に付着する塵埃等については、当該防塵フィルタ２１の周縁部に一体となるように配設される圧電素子２２に周期電圧を印加して防塵フィルタ２１に対して所定の振動を与えることで、除去することができるようになっている。
【００６６】
ここで、防塵フィルタ２１の埃除去動作としての振動について説明する。
【００６７】
図６は、カメラ１に於ける撮像ユニット１５のうち防塵フィルタ２１及びこれに一体に設けられる圧電素子２２のみを取り出して示す正面図である。
【００６８】
また、図７及び図８は、図６の圧電素子２２に対して周期的な駆動電圧を印加した際の防塵フィルタ２１及び圧電素子２２の状態変化を示し、図７は図６のＡ−Ａ線に沿う断面図、図８は、図６のＢ−Ｂ線に沿う断面図である。
【００６９】
例えば、圧電素子２２に負（マイナス；−）電圧を印加した場合には、防塵フィルタ２１は、図７、図８に於いて実線で示すように変形する一方、圧電素子２２に正（プラス；＋）電圧を印加した場合には、防塵フィルタ２１は、同図に於いて点線で示すように変形することになる。
【００７０】
この場合に於いて、図６乃至図８の符号２１ａで示すような振動の節の位置では、実質的に振幅は零になることから、この節２１ａに対応する部位に防塵フィルタ受け部材２３の受け部２３ｃを振動振幅方向に当接させるように設定する。これにより、振動を阻害することなく防塵フィルタ２１を効率的に支持し得ることになる。そして、この状態に於いて、圧電素子２２に対して周期的な電圧を印加することで防塵フィルタ２１は振動し、当該防塵フィルタ２１の表面に付着した塵埃等は除去される。
【００７１】
尚、防塵フィルタ２１を共振させる周波数の周期的な電圧を圧電素子２２に印加すると、振幅は数十倍から数百倍に拡大されて塵埃除去に効果的な振動を発生することができるのであるが、このときの共振周波数は、防塵フィルタ２１の形状や板厚・材質等により決まるものである。上述の図６乃至図８に示す例では、一次の屈曲振動を発生させた場合を示している。
【００７２】
また、図９乃至図１１に図示する別の例では、図６乃至図８に示す例と全く同じ構成の防塵フィルタに対して二次振動を発生させた場合の様子を示している。
【００７３】
この場合、図９は、図６と同様にカメラ１に於ける撮像ユニット１５のうち防塵フィルタ２１及びこれに一体に設けられる圧電素子２２のみを取り出して示す正面図である。
【００７４】
図１０及び図１１は、図９の圧電素子２２に対して二次振動を発生させるための周期的な電圧を印加した際の防塵フィルタ２１及び圧電素子２２の状態変化を示し、図１０は、図９のＡ−Ａ線に沿う断面図、図１１は図９のＢ−Ｂ線に沿う断面図である。
【００７５】
例えば、圧電素子２２に負（マイナス；−）電圧を印加した場合には、防塵フィルタ２１は、図１０及び図１１に於いて実線で示すように変形する一方、圧電素子２２に正（プラス；＋）電圧を印加した場合には、防塵フィルタ２１は、同図に於いて点線で示すように変形することになる。
【００７６】
この場合に於いては、図９乃至図１１に示す符号２１ａ・２１ｂのように、この振動では二対の節が存在することになるが、節２１ａに対応する部位に防塵フィルタ受け部材２３の受け部２３ｃを当接させるように設定することで、上述の図６乃至図８に示す例と同様に、振動を阻害することなく防塵フィルタ２１を効率的に支持し得ることになる。
【００７７】
したがって、このような防塵機構に於いて、所定の時期に圧電素子２２に対して周期的な電圧を印加することで防塵フィルタ２１は振動し、当該防塵フィルタ２１の表面に付着した塵埃等は除去できる。
【００７８】
ここで、本実施形態のカメラのシステム構成について詳しく説明する。
【００７９】
図２に示すブロック構成図の如く、このカメラのシステムは、カメラ本体としてのボディユニット１００と、アクセサリ装置（以下「アクセサリ」と略称する）として例えば、交換レンズとしてのレンズユニット（即ちレンズ鏡筒）１２と、撮影した画像データを記録しておく記録メディア３９、外部電源７０および外付けのストロボユニット８０などから主にシステム構成されている。
【００８０】
ユーザが所望するレンズユニット１２は、ボディユニット１００の前面に設けられたレンズマウント（不図示）を介して着脱自在に設定されている。
【００８１】
記録メディア３９は、各種のメモリカードや外付けのＨＤＤ等の外部記録媒体であり、通信コネクタ３５を介してカメラ本体と通信可能かつ交換可能に装着される。
【００８２】
外部電源７０はＡＣ／ＤＣコンバータ機能を内蔵し、付属するコネクタ７１とプラグ７２を介して、例えば家庭用電源コンセントからカメラ本体側のジャック３７へ、プラグ７２を差し込むことで必要な電力が供給可能になっている。
【００８３】
また、ストロボユニット８０は、閃光電球８１、ＤＣ／ＤＣコンバータ８２、ストロボ制御マイクロコンピュータ８３および電池８４から成り、ストロボ通信コネクタ８５を介してカメラ本体と通信可能に装着できる。
【００８４】
レンズユニット１２の制御はレンズ制御用マイクロコンピュータ（以下”Ｌｕｃｏｍ”と称する）５が行う。ボディユニット１００の制御はボディ制御用マイクロコンピュータ（以下“Ｂｕｃｏｍ”と称する）５０が行う。尚、これらＬｕｃｏｍ５とＢｕｃｏｍ５０とは、合体時に於いて通信コネクタ６を介して通信可能に電気的接続がなされる。そしてカメラシステムとしてＬｕｃｏｍ５がＢｕｃｏｍ５０に従属的に協働しながら稼動するようになっている。
【００８５】
レンズユニット１２内には撮影レンズ１２ａと絞り３が設けられている。撮影レンズ１２ａはレンズ駆動機構２内に在る図示しないＤＣモータによって駆動される。絞り３は絞り駆動機構４内に在る図示しないステッピングモータによって駆動される。Ｌｕｃｏｍ５はＢｕｃｏｍ５０の指令に従ってこれら各モータを制御する。
【００８６】
ボディユニット１００内には次の構成部材が図示のように配設されている。例えば、光学系としての一眼レフ方式の構成部材（ペンタプリズム１３ａ、クイックリターンミラー１３ｂ、接眼レンズ１３ｃ、サブミラー１３ｄ）と、光軸上のフォーカスプレーン式のシャッタ部１４と、上記サブミラー１３ｄからの反射光束を受けて自動測距する為のＡＦセンサユニット３０ａが設けられている。
【００８７】
また、このＡＦセンサユニット３０ａを駆動制御するＡＦセンサ駆動回路３０ｂと、上記クイックリターンミラー１３ｂを駆動制御するミラー駆動機構１８と、上記シャッタ部１４の先幕と後幕を駆動するばねをチャージするシャッタチャージ機構１９と、それら先幕と後幕の動きを制御するシャッタ制御回路３１と、上記ペンタプリズム１３ａからの光束に基づき測光処理する測光回路３２が設けられている。
【００８８】
光軸上には、上記光学系を通過した被写体像を光電変換するためのＣＣＤユニット２７が光電変換素子として設けられ、更にこのＣＣＤユニット２７と撮影レンズ１２ａとの間に配された光学素子としての防塵フィルタ２１によって保護されている。そして、この防塵フィルタ２１を所定の周波数で振動させる加振手段の一部として例えば圧電素子２２がその防塵フィルタ２１の周縁部に取り付けられている。
【００８９】
また、圧電素子２２は２つの電極（詳細後述）を有しており、この圧電素子２２が加振手段の一部としての防塵フィルタ駆動回路４８によって防塵フィルタ２１を振動させ、そのフィルタ表面に付着していた塵を除去できるように構成されている。よって、このカメラシステムはいわゆる「防塵機能付きカメラ」に属する基本構造をもつ電子カメラである。
【００９０】
尚、ＣＣＤユニット２７の周辺の温度を測定するために、防塵フィルタ２１の近傍には、温度測定回路３３が設けられている。
【００９１】
このカメラシステムにはまた、ＣＣＤユニット２７に接続したＣＣＤインターフェイス回路３４、液晶モニタ３６、記憶領域として設けられたＳＤＲＡＭ３８ａ、ＦｌａｓｈＲＯＭ３８ｂおよび記録メディア３９などを利用して画像処理する画像処理コントローラ４０とが設けられ、電子撮像機能と共に電子記録表示機能を提供できるように構成されている。
【００９２】
その他の記憶領域としては、カメラ制御に必要な所定の制御パラメータを記憶する不揮発性記憶手段として例えばＥＥＰＲＯＭから成る不揮発性メモリ２９が、Ｂｕｃｏｍ５０からアクセス可能に設けられている。
【００９３】
Ｂｕｃｏｍ５０には、当該カメラの動作状態を表示出力によってユーザへ告知するための動作表示用ＬＣＤ５７と、カメラ操作ＳＷ５２とが設けられている。ここで、動作表示用ＬＣＤ５７には防塵フィルタ駆動回路が動作している期間、防塵フィルタ２１の振動動作を表示する表示部が設けられている。上記カメラ操作ＳＷ５２は、例えばレリーズＳＷ、モード変更ＳＷおよびパワーＳＷなど、当該カメラを操作するために必要な操作釦を含むスイッチ群である。更に、電源としての電池５４と、この電源の電圧を当該カメラシステムを構成する各回路ユニットが必要とする電圧に変換して供給する電源回路５３ａが設けられ、外部電源７０からジャック７１を介して電流が供給されたときの電圧変化を検知する電圧検出回路５３ｂが併設されている。
【００９４】
上述した如くに構成されたカメラシステムの各部は、次のように稼動する。
【００９５】
先ず、画像処理コントローラ４０は、Ｂｕｃｏｍ５０の指令に従ってＣＣＤインターフェイス回路３４を制御してＣＣＤユニット２７から画像データを取り込む。この画像データは画像処理コントローラ４０でビデオ信号に変換され、液晶モニタ３６にて出力表示される。ユーザはこの液晶モニタ３６の表示画像から、撮影した画像イメージを確認できる。
【００９６】
ＳＤＲＡＭ３８ａは画像データの一時的保管用メモリであり、画像データが変換される際のワークエリアなどに使用される。また、この画像データはＪＰＥＧデータに変換された後には記録メディア３９に保管されるように設定されている。
【００９７】
ＣＣＤユニット２７は、透明な防塵フィルタ２１によって保護されている。この防塵フィルタ２１の周縁部にはそのフィルタ面を加振するための圧電素子２２が配置され、この圧電素子２２は、前述の如くこの為の駆動手段としても働く防塵フィルタ駆動回路４８によって駆動される。
【００９８】
ＣＣＤユニット３４および圧電素子２２は、防塵フィルタ２１を一面とし且つ破線で示すような枠体によって囲まれたケース内に一体的に収納されることが、防塵のためにはより好ましい。
【００９９】
通常、温度はガラス製の物材の弾性係数に影響し、その固有振動数を変化させる要因の１つであるため、運用時にその温度を計測してその固有振動数を変化を考慮しなければならない。稼動中に温度上昇が激しいＣＣＤユニット２７の前面を保護するため設けられた防塵フィルタ２１の温度変化を測定してその時の固有振動数を予想するほうがよい。
【０１００】
したがってこの例の場合、上記温度測定回路３３に接続されたセンサ（不図示）が、ＣＣＤユニット２７の周辺温度を測定するため設けられている。尚、そのセンサの温度測定ポイントは、防塵フィルタ２１の振動面の極近傍に設定されるのが好ましい。
【０１０１】
ミラー駆動機構１８は、クイックリターンミラー１３ｂをＵＰ位置とＤＯＷＮ位置へ駆動するための機構であり、このクイックリターンミラー１３ｂがＤＯＷＮ位置にある時、撮影レンズ１２ａからの光束はＡＦセンサユニット３０ａ側とペンタプリズム１３ａ側へと分割されて導かれる。
【０１０２】
ＡＦセンサユニット３０ａ内のＡＦセンサからの出力は、ＡＦセンサ駆動回路３０ｂを介してＢｕｃｏｍ５０へ送信されて周知の測距処理が行われる。
【０１０３】
また、ペンタプリズム１３ａに隣接する接眼レンズ１３ｃからはユーザが被写体を目視できる一方、このペンタプリズム１３ａを通過した光束の一部は測光回路３２内のホトセンサ（不図示）へ導かれ、ここで検知された光量に基づき周知の測光処理が行われる。
【０１０４】
次に、図１２に示す防塵フィルタ駆動回路４８の回路図と、図１３に示すタイムチャートに基づいて、この本実施形態に於ける防塵機能付きカメラの防塵フィルタ２１の駆動およびその動作について説明する。
【０１０５】
ここに例示した防塵フィルタ駆動回路４８は図１２に示す如くの回路構成を有し、その各部に於いて、図１３のタイムチャートで表す波形の信号（Ｓｉｇ１〜Ｓｉｇ４）が生成され、それらの信号に基づいて次のように制御される。
【０１０６】
防塵フィルタ駆動回路４８は図１２に例示の如く、Ｎ進カウンタ４１、１／２分周回路４２、インバータ４３、複数のＭＯＳトランジスタ（Ｑ００．Ｑ０１．Ｑ０２）４４ａ、４４ｂ、４４ｃ、トランス４５および抵抗（Ｒ００）４６から構成されている。
【０１０７】
上記トランス４５の１次側に接続されたトランジスタ（Ｑ０１）４４ｂおよびトランジスタ（Ｑ０２）４４ｃのＯＮ／ＯＦＦ切替え動作によって、そのトランス４５の２次側に所定周期の信号（Ｓｉｇ４）が発生するように構成されており、この所定周期の信号に基づき圧電素子２２を駆動させ、防塵フィルタ２１を共振させるようになっている。
【０１０８】
Ｂｕｃｏｍ５０は、制御ポートとして設けられた２つのＩＯポートＰ＿ＰｗＣｏｎｔ及びＩＯポートＤ＿ＮＣｎｔと、このＢｕｃｏｍ５０内部に存在するクロックジェネレータ５５を介して防塵フィルタ駆動回路４８を次のように制御する。クロックジェネレータ５５は、圧電素子２２へ印加する信号周波数より充分に早い周波数でパルス信号（基本クロック信号）をＮ進カウンタ４１へ出力する。この出力信号が図１３中のタイムチャートが表す波形の信号Ｓｉｇ１である。そしてこの基本クロック信号はＮ進カウンタ４１へ入力される。
【０１０９】
Ｎ進カウンタ４１は、当該パルス信号をカウントし所定の値“Ｎ”に達する毎にカウント終了パルス信号を出力する。即ち、基本クロック信号を１／Ｎに分周することになる。この出力信号が図１３中のタイムチャートが表す波形の信号Ｓｉｇ２である。
【０１１０】
この分周されたパルス信号はＨｉｇｈとＬｏｗのデューティ比が１：１ではない。そこで、１／２分周回路４２を通してデューティ比を１：１へ変換する。尚、この変換されたパルス信号は図１３中のタイムチャートが表す波形の信号Ｓｉｇ３に対応する。
【０１１１】
この変換されたパルス信号のＨｉｇｈ状態に於いて、この信号が入力されたＭＯＳトランジスタ（Ｑ０１）４４ｂがＯＮする。一方、トランジスタ（Ｑ０２）４４ｃへはインバータ４３を経由してこのパルス信号が印加される。したがって、パルス信号のＬｏｗ状態に於いて、この信号が入力されたトランジスタ（Ｑ０２）４４ｃがＯＮする。トランス４５の１次側に接続されたトランジスタ（Ｑ０１）４４ｂとトランジスタ（Ｑ０２）４４ｃが交互にＯＮすると、２次側には図１３中の信号Ｓｉｇ４の如き周期の信号が発生する。
【０１１２】
トランス４５の巻き線比は、電源回路５３のユニットの出力電圧と圧電素子２２の駆動に必要な電圧から決定される。尚、抵抗（Ｒ００）４６はトランス４５に過大な電流が流れることを制限するために設けられている。
【０１１３】
圧電素子２２を駆動するに際しては、トランジスタ（Ｑ００）４４ａがＯＮ状態にあり、電源回路５３ユニットからトランス４５のセンタータップに電圧が印加されていなければならない。図中トランジスタ（Ｑ００）４４ａのＯＮ／Ｏ制御はＩＯポートのＰ＿ＰｗＣｏｎｔを介して行われる。Ｎ進カウンタ４１の設定値“Ｎ”はＩＯポートＤ＿ＮＣｎｔから設定でき、よって、Ｂｕｃｏｍ５０は、設定値“Ｎ”を適宜に制御することで、圧電素子２２の駆動周波数を任意に変更可能である。
【０１１４】
このとき、下記（１）式によって周波数は算出可能である。  
Ｎ：カウンタへの設定値、  
ｆｐｌｓ：クロックジェネレータの出力パルスの周波数、  
ｆｄｒｖ：圧電素子へ印加される信号の周波数、  
ｆｄｒｖ  ＝  ｆｐｌｓ／２Ｎ                                    …（１）  
尚、この式に基づいた演算は、Ｂｕｃｏｍ５０のＣＰＵ（制御手段）で行われる。
【０１１５】
更に、このカメラ１の特徴は、非可聴域（２０ｋＨｚ以上の周波数）の周波数で防塵フィルタを振動させる場合にカメラの操作者に防塵フィルタの動作を告知する表示部を有する電子カメラであることにある。つまり、上記撮像手段の前面に配置され振動可能な透光性をもつ振動対象部材（防塵フィルタ２１）に対して、加振手段（圧電体）で振動を与えるとき、加振手段の駆動回路の動作と連動してカメラ１の表示部を動作させ、防塵フィルタの動作を告知するという特徴をもつ電子カメラであると云える（詳細後述）。
【０１１６】
上述の特徴を詳しく説明する為、カメラボディ制御用マイクロコンピュータ（Ｂｕｃｏｍ）５０が行う制御について、図１４及び図１５を参照しながら具体的な制御動作について説明する。
【０１１７】
図１４には本実施形態のカメラの動作制御をフローチャートで表し、このＢｕｃｏｍ５０が行うカメラシーケンス（メインルーチン）の手順を例示している。また、図１５にはサブルーチン「無音加振動作」（表示動作も含む）の手順をフローチャートで表している。
【０１１８】
Ｂｕｃｏｍ５０で稼動可能な図１４に示すフローチャートに係わる制御プログラムは、カメラ１の電源ＳＷ（不図示）がＯＮ操作されると、その稼動を開始する。
【０１１９】
最初に、ステップＳ１に於いて、当該カメラシステムを起動するための処理が実行される。電源回路５３ａを制御して当該カメラシステムを構成する各回路ユニットへ電力を供給する。また各回路の初期設定を行う。
【０１２０】
ステップＳ２では、後述するサブルーチン「無音加振動作」（図１５参照）をコールすることで、無音（即ち可聴範囲外）で防塵フィルタ２１を振動させる。尚、ここで云う可聴範囲は一般人の聴力を基準にして約２０Ｈｚ〜２００００Ｈｚの範囲内とする。
【０１２１】
続くステップＳ３〜Ｓ２４までは、周期的に実行されるステップ群である。すなわち、ステップＳ３は、当該カメラに対するアクセサリの着脱を検出するためのステップである。（例えば、アクセサリの１つであるレンズユニット１２が、ボディユニット５０に装着されたことを検出する着脱検出動作は、Ｌｕｃｏｍ５と通信を行うことでレンズユニット１２の着脱状態を調べる）。
【０１２２】
もし、ステップＳ４で、所定のアクセサリがカメラ本体に装着されたことを検出すると、ステップＳ５にて、サブルーチン「無音加振動作」をコールすることで、無音で防塵フィルタ２１を振動させる。
【０１２３】
このように、カメラ本体であるボディユニット１００にアクセサリの特にレンズユニット１２が装着されていない期間には特に、各レンズや防塵フィルタ２１等に塵が付着する可能性が高いので、上述の如くレンズユニット１２の装着を検出したタイミングで塵を払う動作を実行することは有効である。また、レンズ交換時にカメラ内部に外気が循環し塵が進入して付着する可能性が高いので、このレンズ交換時に塵除去することは有意義である。そして撮影直前とみなし、ステップＳ６へ移行する。
【０１２４】
一方、上記ステップＳ４でレンズユニット１２がボディユニット５０から外された状態であることを検出した場合は、そのまま次のステップＳ６へ移行する。このステップＳ６では、当該カメラが有する所定の操作スイッチの状態検出が行われる。
【０１２５】
ステップＳ７では、レリーズＳＷを成す１ｓｔ．レリーズＳＷ（不図示）が操作されたか否かを、当該ＳＷのＯＮ／ＯＦＦ状態で判定する。その状態を読み出し、もし１ｓｔ．レリーズＳＷが所定時間以上ＯＮ操作されない場合には、後述するステップＳ１４へ移行して終了処理（スリープ等）となる。
【０１２６】
一方、１ｓｔ．レリーズＳＷがＯＮ操作された場合には、ステップＳ８にて、測光回路３２から被写体の輝度情報を入手する。そして、この情報からＣＣＤユニット２７の露光時間（Ｔｖ値）とレンズユニット１２の絞り設定値（Ａｖ値）を算出する。
【０１２７】
その後、ステップＳ９では、ＡＦセンサ駆動回路３０ｂを経由してＡＦセンサユニット３０ａの検知データを入手する。このデータに基づきピントのズレ量を算出する。
【０１２８】
ステップＳ１０では、その算出されたズレ量が許可された範囲内にあるか否かを判定し、否の場合はステップＳ１１で撮影レンズの駆動制御を行い、上記ステップＳ３へ戻る。
【０１２９】
一方、許可された範囲内にズレ量が在る場合は、ステップＳ１２にてサブルーチン「無音加振動作」をコールして無音で防塵フィルタ２１を振動させる。
【０１３０】
更に、ステップＳ１３では、レリーズＳＷを成す２ｎｄ．レリーズＳＷ（不図示）がＯＮ操作されたか否かを判定する。この２ｎｄ．レリーズＳＷがＯＮ状態のときは、続くステップＳ１５へ移行して所定の撮影動作（詳細後述）を開始するが、ＯＦＦ状態のときはステップＳ１４へ移行して終了処理となる。
【０１３１】
尚、撮像動作中では、通常の如く、露出の為に予め設定された秒時（露出秒時）に対応した時間の電子撮像動作を制御する。
【０１３２】
上記撮影動作として、ステップＳ１５〜Ｓ２１までは、所定の順序にて被写体の撮像が行われる。先ず、Ｌｕｃｏｍ５へＡｖ値を送信し、絞り３の駆動を指令し（ステップＳ１５）、クイックリターンミラー１３ｂをＵＰ位置へ移動させる（ステップＳ１６）。そして、シャッタ部１４の先幕走行を開始させてＯＰＥＮ制御し（ステップＳ１７）、画像処理コントローラ４０に対して「撮像動作」の実行を指令する（ステップＳ１８）。Ｔｖ値で示された時間だけのＣＣＤユニット２７への露光（撮像）が終了すると、シャッタ部１４の後幕走行を開始させてＣＬＯＳＥ制御する（ステップＳ１９）。そして、クイックリターンミラー１３ｂをＤｏｗｎ位置へ駆動すると共に、シャッタ部１４のチャージ動作を行う（ステップＳ２０）。
【０１３３】
その後、Ｌｕｃｏｍ５に対して絞り３を開放位置へ復帰させるように指令して（ステップＳ２１）、一連の撮像動作を終了する。
【０１３４】
続いて、ステップＳ２２に於いて、記録メディアがカメラ本体に装着されているか否かを検出し、否の場合は、ステップＳ２４にて警告表示をする。そして、再び上記ステップＳ３へ移行して、同様な一連の処理を繰り返す。一方、記録メディアが装着されていれば、ステップＳ２３にて、画像処理コントローラ４０に対し撮影した画像データを記録メディア３９へ記録するように指令する。その画像データの記録動作が終了すると、再び、上記ステップＳ３へ移行して、同様な一連の処理を繰り返す。
【０１３５】
以下、詳しい振動形態と音の関係について、上述した３つのサブルーチンの制御手順を図１５に基づき説明する。尚、この「振動形態」とは、加振手段によって引き起こされる振動の形態である。
【０１３６】
図１５はサブルーチン「無音加振動作」の動作手順を表すフローチャートであり、この無音加振動作に於いて、加振手段へ連続的に供給される共振周波数の波形を表すグラフが図１６に示されている。
【０１３７】
図１５のサブルーチン「無音加振動作」は、防塵フィルタ２１の塵除去の為にだけの加振動作を目的とするルーチンであるので、振動周波数ｆ０はその防塵フィルタ２１の共振周波数に設定されている。例えばこの場合は、４０ｋＨｚ、少なくとも２０ｋＨｚ以上の振動である故に、ユーザにとっては無音である。
【０１３８】
先ず、ステップＳ３１では、防塵フィルタ２１を振動させるための駆動時間（Ｔｏｓｃｆ０）と駆動周波数（共振周波数：Ｎｏｓｃｆ０）に関するデータを、ＥＥＰＲＯＭ２９の所定領域に記憶されている中から読み出す。続いて、ステップＳ３２にて、このタイミングで加振モードの表示をＯＮし、次にステップＳ３３で所定時間が経過したかを判定する。上記所定時間が経過していないときは加振モードの表示を継続し、所定時間経過後はステップＳ３４にて加振モード表示をＯＦＦにする。
【０１３９】
次に、ステップＳ３５では、Ｂｕｃｏｍ５０の出力ポートＤ＿ＮＣｎｔから、駆動周波数Ｎｏｓｃｆ０を、防塵フィルタ駆動回路４８のＮ進カウンタ４１へ出力する。
【０１４０】
続くステップＳ３６〜４４では、次のように塵除去動作が行われる。すなわち、先ず塵除去動作を開始させ実行する。一方、この時の表示は、ステップＳ３６にて制御フラグＰ＿ｐｗＣｏｎｔをＨｉのタイミングで加振動作表示を開始させ、次にステップＳ３７で所定時間が経過したかを判定し、所定時間が経過していないときは加振動作の表示を継続し、所定時間経過後はステップＳ３８で加振動作表示を終了する。この時の加振動作表示は時間経過、或いは塵埃除去経過に応じて変化する表示をする（図１８参照）。この場合の所定時間は、後に述べる加振動作の継続時間であるＴｏｓｃｆ０に略等しい。
【０１４１】
また、ステップＳ３９にて、塵除去のために制御フラグＰ＿ｐｗＣｏｎｔをＨｉ（Ｈｉｇｈ  ｖａｌｕｅ）に設定すると、圧電素子２２は所定の駆動周波数（Ｎｏｓｃｆ０）で防塵フィルタ２１を加振し、フィルタ面に付着した塵を振り払う。この塵除去動作で防塵フィルタ面に付着した塵が振り払われるとき、同時に、空気振動が起こり、超音波が発生する。（但し、駆動周波数Ｎｏｓｃｆ０で駆動されても、一般人の可聴範囲内の音にはならず、聞こえない）。
【０１４２】
次いで、ステップＳ４０に於いて、所定駆動時間（Ｔｏｓｃｆ０）防塵フィルタ２１を振動させた状態で待機し、その所定駆動時間（Ｔｏｓｃｆ０）経過後、ステップＳ４１にて制御フラグＰ＿ｐｗＣｏｎｔをＬｏ（Ｌｏｗ  ｖａｌｕｅ）に設定することで、ステップＳ４２で加振終了表示をＯＮすると共に塵除去動作を停止させる。加振終了表示は、ステップＳ４３で所定時間経過したか否かを判定し、所定時間経過後にステップＳ４４で表示を終了する。そして、コールされたステップの次のステップへリターンする。
【０１４３】
このサブルーチンで適用される振動周波数ｆ０（共振周波数（Ｎｏｓｃｆ０））と駆動時間（Ｔｏｓｃｆ０）は、図１６にグラフで表した如くの波形を示す。すなわち、一定の振動（ｆ０＝４０ｋＨｚ）が、塵除去に充分な時間（Ｔｏｓｃｆ０）だけ続く連続的な波形となる。
【０１４４】
つまり、この振動形態が、加振手段に供給する共振周波数を調整して制御するものである。
【０１４５】
尚、図１５のフローチャートに於ける加振動作の制御フラグ設定のタイミングと表示の処理タイミングはこれに限られるものではない。
【０１４６】
また、本加振動作は１回に限らずに繰り返し行うようにしてもよい。
【０１４７】
図１７は、本発明の表示手段の詳細を示してある。動作表示用ＬＣＤ５７は液晶板５７ａと液晶駆動回路５７ｂとで構成される。図１７に於いては、液晶板５７ａは全てのセグメントが点灯した状態が表記されている。液晶板５７ａの参照番号５８ａ〜５８ｓで示される各セグメント群は、以下に説明する各カメラ状態のパターンを表示している。
【０１４８】
すなわち、５８ａはフラッシュモードの状態を示すパターン、５８ｂは測光モードの状態を示すパターン、５８ｃはフォーカスモードの状態を示すパターン、５８ｄは画質モードの状態を示すパターン、５８ｅは絞り値の状態を示すパターン、５８ｆはシャッタ速度の状態を示すパターン、５８ｇは撮影可能枚数の状態を示すパターンである。また、５８ｈは電池残量の状態を示すパターン、５８ｉは画像調整の状態を示すパターン、５８ｊはＩＳＯの状態を示すパターン、５８ｋは色空間の状態を示すパターン、５８ｌはホワイトバランスの状態を示すパターン、５８ｍはリモコンの状態を示すパターン、５８ｎはセルフタイマの状態を示すパターンである。更に、５８ｏは露出レベルインジケータ、露出補正インジケータ、ＡＦフレームの状態を示すパターン、５８ｐは連続撮影可能枚数、露出補正値表示の状態を示すパターン、５８ｑはオートブラケットの状態を示すパターン、５８ｒはノイズリダクションの状態を示すパターン、５８ｓは連射の状態を示すパターンである。
【０１４９】
いま、ボディ制御用マイクロコンピュータ５０のＩＯポートＤＳＰ＿ＤＡＴＡから液晶駆動回路５７ｂに表示内容のデータが出力される。すると、液晶駆動回路５７ｂからは上記表示内容のデータに応じて、液晶板５７ａの各セグメント群で形成される特定のパターン（例えば特定の文字、数字、絵）を選択するＳＥＧ信号と、特定のパターンを形成するのに使用される特定のセグメント群を選択するＣＯＭ信号とが出力される。これにより、液晶板５７ａ上に表示内容データに対応したパターンの表示がなされる。
【０１５０】
図１８には、本発明のより具体的な表示内容が表記されているもので、塵除去動作の状態を表示した例である。
【０１５１】
ここでは、図１７に示されるシャッタ速度のパターン５８ｆと撮影可能枚数のパターン５８ｇの２つの表示のみが示され、上段はシャッタ速度を示す１文字７セグメントから成る４つのセグメント群から成り、下段は撮影可能枚数を示す１文字７セグメントから成る４つのセグメント群から成る。通常はこれらのセグメントはシャッタ速度と撮影可能枚数を示しており、例えば図１８（ａ）のようにシャッタ速度１／８０００秒、撮影可能枚数１００枚を表す８０００と１００が表示されている。
【０１５２】
ここで、無音加振動作がスタートすると、図１８（ｂ）のような表示になり、加振動作が開始されるまで、図１８（ｂ）の表示が継続される。次に、加振動作が開始されると、図１８（ｃ）、（ｄ）、（ｅ）、（ｆ）と順次表示される。そして、加振動作の停止で、図１８（ｇ）の表示が所定の時間継続されて一連の動作が終了する。この表示が終了した後には、最初の表示と同じ表示である図１８（ｈ）に表示は戻る。
【０１５３】
以上説明したように、本発明の電子撮像装置の一例であるカメラ１（電子撮像装置）は、防塵フィルタ２１が圧電素子２２（加振手段）によって振動可能に撮像手段（撮像素子）の前方に配置され、絞り機構の絞り３と、シャッタ部１４（シャッタ手段）で光電素子表面への被写体光束の照射時間を調整するような構造の電子カメラであって、カメラ１のＢｕｃｏｍ５０（制御手段）の制御に基づき、上述した如くアクセサリの装着時、合焦時および記録動作直前の記録メディアが装着されていない時などでも、圧電素子２２を所定の振動形態（上記３つのサブルーチンの何れかの実行）で駆動することによって、防塵フィルタ２１上に付着した塵埃を除去すると同時に、加振動作の状態が告知されるように適宜制御されている。そして、上述した如くに、カメラ１によれば、本発明の特徴として、塵を除くための塵除去動作と同時に、加振動作に関わる所定の状況がユーザに告知される。
【０１５４】
よって、本実施形態によれば、従来のような加振動作の開始、終了だけで無く、加振動作が作動している状況が確実に告知できるような電子カメラを実現できる。
【０１５５】
振動形態の適用に際して、好ましくは、撮影直前には塵除去動作を効果的に行える振動形態を優先して適用することが望ましい。
【０１５６】
本実施形態に於いて上述のように実施したことで、カメラの姿勢（重力方向と防塵フィルタの面方向）により、塵の除去される方向や塵に作用する力が変化するが、塵除去動作をユーザに確実に告知することで、最適なカメラ姿勢での塵除去が可能となり、塵除去の効率を高めるという効果が得られる。また、塵除去動作中にカメラを動かしたりすることによる塵除去効果を減少させるといった行為を防ぐことも可能となる。また、加振動作を効果的に実施する場合、加振動作時間を長くする必要があるが、このような場合でも、加振動作状況がユーザに告知されるので、ユーザがいつ加振動作が終わるのかといった不安を解消することができる。
【０１５７】
尚、上記実施形態では、シャッタ速度のパターン５８ｆと撮影可能枚数のパターン５８ｇの８つのセグメント群により塵除去動作を表示していたが、背景画像に塵の画像を重ね合わせてその除去動作状態を表示することも可能である。
【０１５８】
図１９は、撮影画像表示用の液晶モニタ３６を用いた塵除去動作の状態を表示した例を示した図である。
【０１５９】
モード表示する場合は、図１９（ａ）のように、背景画像（この場合花）９０に塵の画像９０ａ及び塵埃除去手段の動作モードにあることを示すモード表示９０ｂをスーパーインポーズによって重ねて液晶モニタ３６に表示する。そして、加振動作の開始にタイミングを合わせて、塵の画像９０ａを画面下側に向けて所定量移動させて、図１９（ｂ）、（ｃ）、（ｄ）のように順次表示する。加振動作の終了直前には、図１９（ｅ）のように、塵の画像を消して背景画像９０のみ表示する。そして、加振動作の終了に合わせて、図１９（ｆ）のように加振終了の表示９０ｃをスーパーインポーズにより背景画像９０に重ねて表示する。
【０１６０】
尚、ここで述べた塵画像の表示は、図１５に示されたフローチャートと同様のタイミングで表示を切り換えるようにしてある。表示した背景画像は、被写体画像を液晶モニタにリアルタイムで表示して、液晶モニタをファインダとして使用する電子ファインダを持つカメラでは被写体画像を用いる。また、電子ファインダを持たないカメラでは、撮影された最後のコマを背景画像とするか、又は事前にカメラの記憶領域に記憶させておいた画像を背景画像とする。
【０１６１】
また、上述した塵画像を背景画像にスーパーインポーズする技術に関しては、周知のものであるのでここでは説明を省略する。
【０１６２】
更に、加振動作の時間に対応して目視可能な表示をするようにしてもよい。例えば、カメラの外部にＬＥＤ６０を設けて（図１、図２参照）、加振動作が行われている時間だけ点灯、点滅等の表示により確認できるようにしてもよい。
【０１６３】
（変形例）
上述した実施形態は、次のように変形実施してもよい。例えば、上記の加振手段による塵埃除去手段の他に、空気流によって防塵フィルタの塵を除去する方式、或いはワイパーにより防塵フィルタの塵を除去するようなものでも良い。この場合、加振動作に相当する動作は、空気流の噴出する動作、或いはワイパーの動作である。
【０１６４】
また、上述した実施形態ではカメラの動作表示用のＬＣＤでの表示をしていたが、撮影画像の表示用の表示装置に表示しても勿論良い。
【０１６５】
また、加振する対象は、例示の防塵フィルタ２１に限らず、光路上に在り光の透過性をもった部材等（例えばカバーガラスやハーフミラーなど）であってもよい。但しその部材は、振動によって、その表面に付着していた塵を振り払うと共に、その振動と共振によって可聴範囲内の音波を発するものとする。また、振動に係わる周波数や駆動時間などはその部材に対応した値に設定する。
【０１６６】
尚、本発明を適用する電子撮像装置としては、例示した電子カメラ（デジタルカメラ）に限らず、塵除去機能および発音機能を必要とする装置であればよく、必要に応じて変形実施することで実用化され得る。
【０１６７】
このほかにも、本発明の要旨を逸脱しない範囲で種々の変形実施が可能である。
【図面の簡単な説明】
【０１６８】
【図１】本発明の一実施形態に係わる電子撮像装置（電子カメラ）の一部を切断し、その内部の機械的構造を示す斜視図である。
【図２】該電子カメラの主に電気的な構成を概略的に示すブロック構成図である。
【図３】該電子カメラに於ける撮像ユニットを分解して示す要部分解斜視図である。
【図４】組み立てた状態の当該撮像ユニットの一部を切断して示す斜視図である。
【図５】該電子カメラの図４の切断面に沿う断面図である。
【図６】該電子カメラに於ける撮像ユニットのうち防塵フィルタ及びこれに一体に設けられる圧電素子のみを取り出して示す正面図である。
【図７】周期的な駆動電圧を印加した際の防塵フィルタ及び圧電素子の状態変化を示し、その圧電素子の図６のＡ−Ａ線に沿う断面図である。
【図８】同じくその圧電素子の図６のＢ−Ｂ線に沿う断面図である。
【図９】図６と同じ構成の防塵フィルタに対して二次振動を発生させた場合の様子を示し、図６と同様に該電子カメラに於ける撮像ユニットのうち防塵フィルタ及びこれに一体に設けられる圧電素子のみを取り出して示す正面図である。
【図１０】二次振動を発生させるための周期的な電圧を印加した際の防塵フィルタ及び圧電素子の状態変化を示し、その圧電素子の図９のＡ−Ａ線に沿う断面図である。
【図１１】同じくその圧電素子の図９のＢ−Ｂ線に沿う断面図である。
【図１２】防塵フィルタ駆動回路の構成を示す回路図である。
【図１３】防塵フィルタの駆動とその動作に係わる波形信号を表すタイムチャートである。
【図１４】該電子カメラの制御用マイクロコンピュータが実行するカメラシーケンス（メインルーチン）に於ける動作制御を表すフローチャートである。
【図１５】サブルーチン「無音加振動作」の動作手順を表すフローチャートである。
【図１６】加振手段へ連続的に供給される共振周波数の波形を表すグラフである。
【図１７】表示手段の詳細を表すブロック構成図である。
【図１８】表示手段の表示を表す図である。
【図１９】撮影画像表示用の液晶モニタを用いた塵除去動作の状態を表示した例を示した図である。
【符号の説明】
【０１６９】
１…カメラ（電子撮像装置：カメラシステム）、２…レンズ駆動機構、３…絞り、４…絞り駆動機構、５…レンズ制御用マイクロコンピュータ、１１…カメラ本体部、１２…レンズ鏡筒（レンズユニット：交換レンズ）、１２ａ…撮影光学系、１３…ファインダ装置、１３ａ…ペンタプリズム、１３ｂ…反射鏡（クイックリターンミラー）、１３ｃ…接眼レンズ、１３ｄ…サブミラー、１４…シャッタ部（前幕、後幕）、１５…撮像ユニット、１６…主回路基板、１７…レリーズボタン、１８…ミラー駆動機構、１９…シャッタチャージ機構、２１…防塵フィルタ（防塵フィルタ：光学素子）、２２…圧電素子（加振手段）、２３…防塵フィルタ受け部材、２４…撮像素子収納ケース部材（ＣＣＤケース）、２５…光学的ローパスフィルタ（ＬＰＦ）、２７…撮像素子（ＣＣＤユニット：撮像手段）、２８…撮像素子固定板、２９…不揮発性メモリ（ＥＥＰＲＯＭ）、３０ａ…ＡＦセンサ、３０ｂ…ＡＦセンサ駆動回路、３１…シャッタ制御回路（シャッタ手段）、３２…測光回路
３３…温度測定回路、３４…ＣＣＤインターフェイス回路、３８ａ…ＳＤＲＡＭ、３８ｂ…ＦｌａｓｈＲＯＭ、３９…記録メディア（アクセサリ）、４０…画像処理コントローラ、４１…Ｎ進カウンタ、４２…１／２分周回路、４３…インバータ、４４…トランジスタ、４４ａ，４４ｂ，４４ｃ…ＭＯＳトランジスタ、４８…防塵フィルタ駆動回路（加振、駆動手段）、５０…ボディ制御用マイクロコンピュータ（制御手段）、５２…カメラ操作ＳＷ、５３ａ…電源回路、５３ｂ…電圧検出回路、５４…電池、５５…クロックジェネレータ、５６…ＶＣＯ（電圧制御発振器）、７０…外部電源（アクセサリ）、８０…ストロボユニット（アクセサリ）、１００…ボディユニット（カメラ本体）。
【図１】
2006094057.tif 000003
【図２】
2006094057.tif 000004
【図３】
2006094057.tif 000005
【図４】
2006094057.tif 000006
【図５】
2006094057.tif 000007
【図６】
2006094057.tif 000008
【図７】
2006094057.tif 000009
【図８】
2006094057.tif 000010
【図９】
2006094057.tif 000011
【図１０】
2006094057.tif 000012
【図１１】
2006094057.tif 000013
【図１２】
2006094057.tif 000014
【図１３】
2006094057.tif 000015
【図１４】
2006094057.tif 000016
【図１５】
2006094057.tif 000017
【図１６】
2006094057.tif 000018
【図１７】
2006094057.tif 000019
【図１８】
2006094057.tif 000020
【図１９】
2006094057.tif 000021